(57)【要約】【課題】交通システムにおける車両を利用することへの不安を低減し、交通システムへの参加を促すことが可能な交通システム支援装置、その方法及びプログラムを提供する。【解決手段】交通システム支援装置１０は、メッセージ画面生成手段１０５において、予定情報を含むメッセージ画面を、運行者端末及び利用者端末に表示させるためのメッセージ画面情報を生成し、利用希望情報を含むメッセージ画面を、運行者端末及び利用者端末に表示させるためのメッセージ画面情報を生成し、経路算出手段１０４が算出した経路を含むメッセージ画面を、運行者端末及び利用者端末に表示させるためのメッセージ画面情報を生成し、メッセージ画面情報送信手段１０６において、メッセージ画面生成手段１０５が生成したメッセージ画面情報を、運行者端末及び利用者端末に送信する。【選択図】図２
2018055640.tif 000002
【特許請求の範囲】
【請求項１】
所定の地域内で車両を運用する交通システムにおいて、前記交通システムのユーザであり、前記車両を運行する運行者に操作される運行者端末と、前記交通システムのユーザであり、前記運行者が運行する前記車両を利用する利用者に操作される利用者端末と、ネットワークを介して接続され、前記運行者端末及び前記利用者端末から送信されたメッセージを累積的に、前記運行者端末及び前記利用者端末に表示させるメッセージ画面を生成する交通システム支援装置であって、
前記運行者端末から、前記車両を運行する予定である予定情報を、前記メッセージとして受信する予定情報受信手段と、
前記利用者端末から、前記予定情報に基づき運行される前記車両の利用を希望する利用希望情報を、前記メッセージとして受信する利用希望情報受信手段と、
前記予定情報受信手段が受信した前記予定情報と、前記利用希望情報受信手段が受信した前記利用希望情報に基づき、前記車両の経路を算出する経路算出手段と、
前記運行者端末及び前記利用者端末に、前記メッセージ画面を表示させるためのメッセージ画面情報を生成するメッセージ画面生成手段と、
前記メッセージ画面生成手段が生成した前記メッセージ画面情報を、前記運行者端末及び前記利用者端末に送信するメッセージ画面情報送信手段と、を備え、
前記メッセージ画面生成手段は、
前記予定情報受信手段が受信した前記予定情報を含む前記メッセージ画面を、前記運行者端末及び前記利用者端末に表示させるための前記メッセージ画面情報を生成し、
前記利用希望情報受信手段が受信した前記利用希望情報を含む前記メッセージ画面を、前記運行者端末及び前記利用者端末に表示させるための前記メッセージ画面情報を生成し、
前記経路算出手段が算出した前記経路を含む前記メッセージ画面を、前記運行者端末及び前記利用者端末に表示させるための前記メッセージ画面情報を生成することを特徴とする交通システム支援装置。
【請求項２】
前記メッセージ画面生成手段は、前記車両ごとに、前記メッセージ画面を生成することを特徴とする請求項１に記載の交通システム支援装置。
【請求項３】
前記メッセージ画面情報送信手段は、所定の条件が成立した場合に、前記運行者端末及び前記利用者端末に表示された前記メッセージ画面を非表示とするメッセージ画面非表示情報を送信することを特徴とする請求項１又は２に記載の交通システム支援装置。
【請求項４】
所定のイベントを提案するイベント提案者に操作されるイベント提案者端末と、ネットワークを介して接続され、
前記イベント提案者端末から、前記イベントに関する情報であるイベント情報を受信するイベント情報受信手段を備え、
前記メッセージ画面生成手段は、前記イベント情報受信手段が受信した前記イベント情報を含む前記メッセージ画面を、前記運行者端末及び前記利用者端末に表示させるための前記メッセージ画面情報を生成し、
前記予定情報受信手段は、前記イベントに関連した前記予定情報を、前記メッセージとして受信し、
前記利用希望情報受信手段は、前記イベントに関連した前記利用希望情報を、前記メッセージとして受信することを特徴とする請求項１から３のいずれかに記載の交通システム支援装置。
【請求項５】
所定の地域内で車両を運用する交通システムにおいて、前記車両を運行する運行者に操作される運行者端末と、前記運行者が運行する前記車両を利用する利用者に操作される利用者端末と、ネットワークを介して接続され、前記運行者端末及び前記利用者端末から送信されたメッセージを累積的に、前記運行者端末及び前記利用者端末に表示させるメッセージ画面を生成する交通システム支援装置が実行する方法であって、
前記運行者端末から、前記車両を運行する予定である予定情報を、前記メッセージとして受信するステップと、
前記利用者端末から、前記予定情報に基づき運行される前記車両の利用を希望する利用希望情報を、前記メッセージとして受信するステップと、
受信した前記予定情報と、受信した前記利用希望情報に基づき、前記車両の経路を算出するステップと、
前記運行者端末及び前記利用者端末に、前記メッセージ画面を表示させるためのメッセージ画面情報を生成するステップと、
生成した前記メッセージ画面情報を、前記運行者端末及び前記利用者端末に送信するステップと、を含み、
前記メッセージ画面情報を生成するステップは、
受信した前記予定情報を含む前記メッセージ画面を、前記運行者端末及び前記利用者端末に表示させるための前記メッセージ画面情報を生成し、
受信した前記利用希望情報を含む前記メッセージ画面を、前記運行者端末及び前記利用者端末に表示させるための前記メッセージ画面情報を生成し、
算出した前記経路を含む前記メッセージ画面を、前記運行者端末及び前記利用者端末に表示させるための前記メッセージ画面情報を生成することを特徴とする交通システム支援方法。
【請求項６】
所定の地域内で車両を運用する交通システムにおいて、前記車両を運行する運行者に操作される運行者端末と、前記運行者が運行する前記車両を利用する利用者に操作される利用者端末と、ネットワークを介して接続され、前記運行者端末及び前記利用者端末から送信されたメッセージを累積的に、前記運行者端末及び前記利用者端末に表示させるメッセージ画面を生成する交通システム支援装置を制御するプログラムであって、
コンピュータを、
前記運行者端末から、前記車両を運行する予定である予定情報を、前記メッセージとして受信する予定情報受信手段、
前記利用者端末から、前記予定情報に基づき運行される前記車両の利用を希望する利用希望情報を、前記メッセージとして受信する利用希望情報受信手段、
前記予定情報受信手段が受信した前記予定情報と、前記利用希望情報受信手段が受信した前記利用希望情報に基づき、前記車両の経路を算出する経路算出手段、
前記運行者端末及び前記利用者端末に、前記メッセージ画面を表示させるためのメッセージ画面情報を生成するメッセージ画面生成手段、
前記メッセージ画面生成手段が生成した前記メッセージ画面情報を、前記運行者端末及び前記利用者端末に送信するメッセージ画面情報送信手段、として機能させ、
前記メッセージ画面生成手段は、
前記予定情報受信手段が受信した前記予定情報を含む前記メッセージ画面を、前記運行者端末及び前記利用者端末に表示させるための前記メッセージ画面情報を生成し、
前記利用希望情報受信手段が受信した前記利用希望情報を含む前記メッセージ画面を、前記運行者端末及び前記利用者端末に表示させるための前記メッセージ画面情報を生成し、
前記経路算出手段が算出した前記経路を含む前記メッセージ画面を、前記運行者端末及び前記利用者端末に表示させるための前記メッセージ画面情報を生成することを特徴とするプログラム。
【請求項７】
所定の地域内で車両を運用する交通システムを管理する交通システム管理装置であって、
ソーシャル・ネットワーキング・システム（ＳＮＳ）を管理するＳＮＳ管理装置と連携可能にするＳＮＳ連携手段と、
前記交通システムの車両の予定情報を含む車両情報を、前記ＳＮＳ管理装置に送信する車両情報送信手段と、
前記予定情報に基づき運行される車両の利用を希望するユーザの利用希望情報を前記ＳＮＳ管理装置から受信する利用希望情報受信手段と、
前記利用希望情報に基づき前記車両の移動経路を算出する経路算出手段と、
を備えることを特徴とする交通システム管理装置。
【請求項８】
前記ＳＮＳ管理装置は、前記交通システムのユーザ間のトーク情報を管理し、
前記予定情報に示される車両の運行予定が終了したとき、当該予定情報に関する前記トーク情報を削除するように前記ＳＮＳ管理装置に指示するトーク削除指示手段を
更に備えることを特徴とする請求項７に記載の交通システム管理装置。
【請求項９】
ソーシャル・ネットワーキング・システム（ＳＮＳ）を管理するＳＮＳ管理装置であって、
所定の地域内で車両を運用する交通システムを管理する交通システム管理装置と接続され、
前記交通システムの車両の予定情報を含む車両情報を、前記交通システム管理装置から受信する車両情報受信手段と、
前記車両情報を用いて前記ＳＮＳのユーザ間でトークを行うためのメッセージ画面を生成するメッセージ画面生成手段と、
前記ＳＮＳのユーザから利用希望情報を取得する利用希望情報取得手段と、
前記利用希望情報を前記交通システム管理装置に送信する利用情報送信手段と、
を備えることを特徴とするＳＮＳ管理装置。
【請求項１０】
前記利用希望情報取得手段は、前記ＳＮＳのユーザのユーザ端末から
前記メッセージ画面におけるトーク情報を受信し、前記トーク情報の内容を解析し、前記交通システムの車両の利用を前記ユーザが希望しているか否かを判断することを特徴とする請求項９に記載のＳＮＳ管理装置。
【請求項１１】
前記利用希望情報に含まれる希望乗車人数と、前記車両情報に含まれる乗車定員に基づいて、当該車両に乗車することが不可と判断したときに、前記利用希望情報の新たな受付を拒否することを特徴とする請求項９又は１０に記載のＳＮＳ管理装置。
【発明の詳細な説明】
【技術分野】
【０００１】
本発明は、所定の地域内で車両を運用する交通システムにおいて、車両を運行する運行者に操作される運行者端末と、運行者が運行する車両を利用する利用者に操作される利用者端末と、ネットワークを介して接続され、運行者端末及び利用者端末から送信されたメッセージを累積的に、運行者端末及び利用者端末に表示させるメッセージ画面を生成する交通システム支援装置、その方法及びプログラムに関する。
【背景技術】
【０００２】
近年、地域の活性化、人々の健康管理、エネルギー対策等における課題を解決する交通システムが提案されている。
【０００３】
このような交通システムにおいて、ユーザが移動体を使用するスケジュール情報を生成し、ユーザ端末に送信する。このとき、スケジュール情報提供手段が、サービサ情報収集手段が受信したサービサ情報、ユーザの移動体の使用履歴、ユーザ情報収集手段が受信した他のユーザのユーザ情報に基づき、ユーザ端末に送信するスケジュール情報を生成する外出スケジュール自動作成装置が開示されている（例えば、特許文献１）。
このような外出スケジュール自動作成装置によれば、利用者である地域住民に外出スケジュールを提供し、地域住民の外出を促すことで、地域の活性化や、地域住民の健康管理等が可能となる。
【先行技術文献】
【特許文献】
【０００４】
【特許文献１】特開２０１５−９２３２７号公報
【発明の概要】
【発明が解決しようとする課題】
【０００５】
ところで、交通システムにおける車両を利用するには、当該交通システムにおいて提供されるコミュニティに参加し、交通システムにより提供される手続をする必要がある。このようなコミュニティへの参加には、情報漏洩の危険性や、不特定多数の者との接触に対する不安要素があった。また、交通システムにより提供される手続には、手続が複雑かもしれないという不安要素があった。このような交通システムにおける車両を利用することへの不安要素は、交通システムへの参加の障壁となっていた。
【０００６】
そこで本発明では、上記のような課題に鑑み、交通システムにおける車両を利用することへの不安を低減し、交通システムへの参加を促すことが可能な交通システム支援装置、その方法及びプログラムを提供することを目的とする。
【課題を解決するための手段】
【０００７】
上記課題を解決するため、本発明の交通システム支援装置は、以下のような解決手段を提供する。
（１）本発明の第１の態様は、所定の地域内で車両を運用する交通システムにおいて、前記交通システムのユーザであり、前記車両を運行する運行者に操作される運行者端末と、前記交通システムのユーザであり、前記運行者が運行する前記車両を利用する利用者に操作される利用者端末と、ネットワークを介して接続され、前記運行者端末及び前記利用者端末から送信されたメッセージを累積的に、前記運行者端末及び前記利用者端末に表示させるメッセージ画面を生成する交通システム支援装置であって、前記運行者端末から、前記車両を運行する予定である予定情報を、前記メッセージとして受信する予定情報受信手段と、前記利用者端末から、前記予定情報に基づき運行される前記車両の利用を希望する利用希望情報を、前記メッセージとして受信する利用希望情報受信手段と、前記予定情報受信手段が受信した前記予定情報と、前記利用希望情報受信手段が受信した前記利用希望情報に基づき、前記車両の経路を算出する経路算出手段と、前記運行者端末及び前記利用者端末に、前記メッセージ画面を表示させるためのメッセージ画面情報を生成するメッセージ画面生成手段と、前記メッセージ画面生成手段が生成した前記メッセージ画面情報を、前記運行者端末及び前記利用者端末に送信するメッセージ画面情報送信手段と、を備え、前記メッセージ画面生成手段は、前記予定情報受信手段が受信した前記予定情報を含む前記メッセージ画面を、前記運行者端末及び前記利用者端末に表示させるための前記メッセージ画面情報を生成し、前記利用希望情報受信手段が受信した前記利用希望情報を含む前記メッセージ画面を、前記運行者端末及び前記利用者端末に表示させるための前記メッセージ画面情報を生成し、前記経路算出手段が算出した前記経路を含む前記メッセージ画面を、前記運行者端末及び前記利用者端末に表示させるための前記メッセージ画面情報を生成することを特徴とする。
【０００８】
（２）また、上記（１）の構成において、前記メッセージ画面生成手段は、前記車両ごとに、前記メッセージ画面を生成するようにしてもよい。
【０００９】
（３）また、上記（１）又は（２）の構成において、前記メッセージ画面情報送信手段は、所定の条件が成立した場合に、前記運行者端末及び前記利用者端末に表示された前記メッセージ画面を非表示とするメッセージ画面非表示情報を送信するようにしてもよい。
【００１０】
（４）また、上記（１）〜（３）のいずれかの構成において、所定のイベントを提案するイベント提案者に操作されるイベント提案者端末と、ネットワークを介して接続され、前記イベント提案者端末から、前記イベントに関する情報であるイベント情報を受信するイベント情報受信手段を備え、前記メッセージ画面生成手段は、前記イベント情報受信手段が受信した前記イベント情報を含む前記メッセージ画面を、前記運行者端末及び前記利用者端末に表示させるための前記メッセージ画面情報を生成し、前記予定情報受信手段は、前記イベントに関連した前記予定情報を、前記メッセージとして受信し、前記利用希望情報受信手段は、前記イベントに関連した前記利用希望情報を、前記メッセージとして受信するようにしてもよい。
【００１１】
（５）また、本発明の第２の態様では、所定の地域内で車両を運用する交通システムにおいて、前記車両を運行する運行者に操作される運行者端末と、前記運行者が運行する前記車両を利用する利用者に操作される利用者端末と、ネットワークを介して接続され、前記運行者端末及び前記利用者端末から送信されたメッセージを累積的に、前記運行者端末及び前記利用者端末に表示させるメッセージ画面を生成する交通システム支援装置が実行する方法であって、前記運行者端末から、前記車両を運行する予定である予定情報を、前記メッセージとして受信するステップと、前記利用者端末から、前記予定情報に基づき運行される前記車両の利用を希望する利用希望情報を、前記メッセージとして受信するステップと、受信した前記予定情報と、受信した前記利用希望情報に基づき、前記車両の経路を算出するステップと、前記運行者端末及び前記利用者端末に、前記メッセージ画面を表示させるためのメッセージ画面情報を生成するステップと、生成した前記メッセージ画面情報を、前記運行者端末及び前記利用者端末に送信するステップと、を含み、前記メッセージ画面情報を生成するステップは、受信した前記予定情報を含む前記メッセージ画面を、前記運行者端末及び前記利用者端末に表示させるための前記メッセージ画面情報を生成し、受信した前記利用希望情報を含む前記メッセージ画面を、前記運行者端末及び前記利用者端末に表示させるための前記メッセージ画面情報を生成し、算出した前記経路を含む前記メッセージ画面を、前記運行者端末及び前記利用者端末に表示させるための前記メッセージ画面情報を生成することを特徴とする。
【００１２】
（６）本発明の第３の態様では、所定の地域内で車両を運用する交通システムにおいて、前記車両を運行する運行者に操作される運行者端末と、前記運行者が運行する前記車両を利用する利用者に操作される利用者端末と、ネットワークを介して接続され、前記運行者端末及び前記利用者端末から送信されたメッセージを累積的に、前記運行者端末及び前記利用者端末に表示させるメッセージ画面を生成する交通システム支援装置を制御するプログラムであって、コンピュータを、前記運行者端末から、前記車両を運行する予定である予定情報を、前記メッセージとして受信する予定情報受信手段、前記利用者端末から、前記予定情報に基づき運行される前記車両の利用を希望する利用希望情報を、前記メッセージとして受信する利用希望情報受信手段、前記予定情報受信手段が受信した前記予定情報と、前記利用希望情報受信手段が受信した前記利用希望情報に基づき、前記車両の経路を算出する経路算出手段、前記運行者端末及び前記利用者端末に、前記メッセージ画面を表示させるためのメッセージ画面情報を生成するメッセージ画面生成手段、前記メッセージ画面生成手段が生成した前記メッセージ画面情報を、前記運行者端末及び前記利用者端末に送信するメッセージ画面情報送信手段、として機能させ、前記メッセージ画面生成手段は、前記予定情報受信手段が受信した前記予定情報を含む前記メッセージ画面を、前記運行者端末及び前記利用者端末に表示させるための前記メッセージ画面情報を生成し、前記利用希望情報受信手段が受信した前記利用希望情報を含む前記メッセージ画面を、前記運行者端末及び前記利用者端末に表示させるための前記メッセージ画面情報を生成し、前記経路算出手段が算出した前記経路を含む前記メッセージ画面を、前記運行者端末及び前記利用者端末に表示させるための前記メッセージ画面情報を生成することを特徴とする。
【００１３】
（７）また、本発明の第４の態様では、所定の地域内で車両を運用する交通システムを管理する交通システム管理装置であって、ソーシャル・ネットワーキング・システム（ＳＮＳ）を管理するＳＮＳ管理装置と連携可能にするＳＮＳ連携手段と、前記交通システムの車両の予定情報を含む車両情報を、前記ＳＮＳ管理装置に送信する車両情報送信手段と、前記予定情報に基づき運行される車両の利用を希望するユーザの利用希望情報を前記ＳＮＳ管理装置から受信する利用希望情報受信手段と、前記利用希望情報に基づき前記車両の移動経路を算出する経路算出手段と、を備えることを特徴とする。
【００１４】
（８）また、上記（７）の構成において、前記ＳＮＳ管理装置は、前記交通システムのユーザ間のトーク情報を管理し、前記予定情報に示される車両の運行予定が終了したとき、当該予定情報に関する前記トーク情報を削除するように前記ＳＮＳ管理装置に指示するトーク削除指示手段を更に備えるようにしてもよい。
【００１５】
（９）また、本発明の第５の態様では、ソーシャル・ネットワーキング・システム（ＳＮＳ）を管理するＳＮＳ管理装置であって、所定の地域内で車両を運用する交通システムを管理する交通システム管理装置と接続され、前記交通システムの車両の予定情報を含む車両情報を、前記交通システム管理装置から受信する車両情報受信手段と、前記車両情報を用いて前記ＳＮＳのユーザ間でトークを行うためのメッセージ画面を生成するメッセージ画面生成手段と、前記ＳＮＳのユーザから利用希望情報を取得する利用希望情報取得手段と、前記利用希望情報を前記交通システム管理装置に送信する利用情報送信手段と、を備えることを特徴とする。
【００１６】
（１０）また、上記（９）の構成において、前記利用希望情報取得手段は、前記ＳＮＳのユーザのユーザ端末から前記メッセージ画面におけるトーク情報を受信し、前記トーク情報の内容を解析し、前記交通システムの車両の利用を前記ユーザが希望しているか否かを判断するようにしてもよい。
【００１７】
（１１）また、上記（１０）の構成において、前記利用希望情報に含まれる希望乗車人数と、前記車両情報に含まれる乗車定員に基づいて、当該車両に乗車することが不可と判断したときに、前記利用希望情報の新たな受付を拒否するようにしてもよい。
【発明の効果】
【００１８】
本発明によれば、交通システムにおける車両を利用することへの不安を低減し、交通システムへの参加を促すことが可能な交通システム支援装置、その方法及びプログラムを提供できる。
【図面の簡単な説明】
【００１９】
【図１】本発明が適用される交通システムにおける交通システム支援装置による交通システム支援サービスの概念を説明する図である。
【図２】本発明の第１実施形態に係る交通システムにおける交通システム支援装置、ユーザ端末及びイベント提案者端末の機能構成を示す図である。
【図３】ユーザＤＢに格納されるデータを表形式で模式的に示す図である。
【図４】メッセージ画面生成手段が生成したメッセージ画面情報に基づき、ユーザ端末入出力手段に表示されるメッセージ画面の一例である。
【図５】メッセージ画面生成手段が生成したメッセージ画面情報に基づき、ユーザ端末入出力手段に表示されるメッセージ画面の一例である。
【図６】メッセージ画面生成手段が生成したメッセージ画面情報に基づき、ユーザ端末入出力手段に表示されるメッセージ画面の一例である。
【図７】メッセージ画面生成手段が生成したメッセージ画面情報に基づき、ユーザ端末入出力手段に表示されるメッセージ画面の一例である。
【図８】メッセージ画面生成手段が生成したメッセージ画面情報に基づき、ユーザ端末入出力手段に表示されるメッセージ画面の一例である。
【図９】本発明の第１実施形態に係る交通システム支援装置が実行する交通システム支援処理フローを示す図である。
【図１０】本発明の第２実施形態に係る交通システムにおける交通システム管理装置、ＳＮＳ管理装置の機能構成を示す図である。
【発明を実施するための形態】
【００２０】
以下、添付図面を参照して、本発明を実施するための形態（以下、実施形態）について詳細に説明する。以降の図においては、実施形態の説明の全体を通して同じ要素には同じ番号又は符号を付している。また、機能構成の図において、機能ブロック間の矢印は、データの流れ方向、又は処理の流れ方向を表す。
【００２１】
（基本概念）
図１は、本発明が適用される交通システムにおける交通システム支援装置による交通システム支援サービスの概念を説明する図である。交通システム１は、所定の地域内で車両を運用し、当該地域における交通の利便性を向上し、当該地域において、店舗等（例えば、スーパマーケットやコンビニ等の小売店、公共交通機関、役所、病院、学校、幼稚園等）における人や物の移動需要を喚起し、当該地域を活性化することを目的としたものである。交通システム１における車両は、交通システム１を運営する組織が所有する車両であってもよいし、所定の地域内の複数の住民によりシェアされている車両であってもよいし、所定の地域内の住民や企業が所有している車両であってもよい。
【００２２】
また、交通システム１は、少なくとも、ユーザにより操作されるユーザ端末２０と、ユーザ端末２０とネットワークを介して接続された交通システム支援装置１０と、を備える。ユーザは、あるときは車両を運行する運行者Ａであり、別の時は、別のユーザである運行者Ａが運行する車両を利用する利用者Ｂとなり得る。また、運行者Ａは、車両を運行する者であり、車両を運転する者であってもよいし、他の者（例えば、家族や車両を所有する企業の従業員等）に車両を運転させる者であってもよい。
【００２３】
また、以下の説明では、運行者Ａに操作されるユーザ端末２０を運行者端末（図１に示す例では２０Ａ）、利用者Ｂに操作されるユーザ端末２０を利用者端末（図１に示す例では２０Ｂ）とも言う。
【００２４】
交通システム支援装置１０による交通システム支援サービスは、上記のような交通システム１において提供され、運行者端末２０Ａ及び利用者端末２０Ｂから送信されたメッセージを累積的に、運行者端末２０Ａ及び利用者端末２０Ｂに表示させるメッセージ画面２３０を生成する。このような交通システム支援サービスは、例えば、ソーシャル・ネットワーキング・サービスにより提供される。運行者Ａや利用者Ｂは、運行者端末２０Ａや利用者端末２０Ｂにより、当該サービスにより提供されるソーシャル・ネットワークにログインし、メッセージがやり取りされるメッセージ画面２３０において、車両の運行予定の確認や、運行予定の車両の利用（例えば、ピックアップ等）の依頼を行う。
【００２５】
交通システム支援装置１０は、運行者端末２０Ａから、車両を運行する予定である予定情報を、メッセージ画面２３０に表示するメッセージ（図１に示す例では「今から、スーパーに行きます。」）として受信する。また、交通システム支援装置１０は、利用者端末２０Ｂから、予定情報に基づき運行される車両の利用を希望する利用希望情報を、メッセージ画面２３０に表示するメッセージ（図１に示す例では「一緒に連れてって！」）として受信する。なお、図１では、運行者端末２０Ａや利用者端末２０Ｂの一例として、スマートフォンを示しているが、これに限らず、ユーザ端末２０（運行者端末２０Ａや利用者端末２０Ｂ）は、例えば、車両に搭載されたカーナビゲーションシステムでもよい。
【００２６】
また、交通システム支援装置１０は、運行者端末２０Ａ及び利用者端末２０Ｂから、文字情報に限らず、所定の意味（例えば、了解したことや、喜び等）を示す図柄を、メッセージ画面２３０に表示するメッセージとして受信する。
【００２７】
そして、交通システム支援装置１０は、運行者端末２０Ａから受信した予定情報と、利用者端末２０Ｂから受信した利用希望情報に基づき、車両の経路を算出し、この算出した経路を含むメッセージ画面２３０を、運行者端末２０Ａ及び利用者端末２０Ｂに表示させるためのメッセージ画面情報を生成し、運行者端末２０Ａ及び利用者端末２０Ｂに送信する。
【００２８】
このような、交通システム支援装置１０によれば、所定の地域内で運用されるにおける交通システム１のユーザにより、ソーシャル・ネットワークを構築できる。これにより、ソーシャル・ネットワークに参加する者が、所定の地域内のユーザに限られるため、不特定多数の者が参加可能である場合に比べ、この交通システムのユーザとなり、車両を利用することへの不安を低減できる。また、このようなソーシャル・ネットワークに参加し、メッセージを送信するだけで、交通システムにおける車両を利用することができるので、車両を利用するための複雑な手続をすることがないので、ユーザの負担が軽減され、交通システムへの参加を促すことが可能となる。したがって、交通システムにおける車両を利用することへの不安を低減し、交通システムへの参加を促すことが可能な交通システム支援装置を提供できる。
【００２９】
（第１実施形態の機能構成）
図２は、本発明の第１実施形態に係る交通システムにおける交通システム支援装置、ユーザ端末及びイベント提案者端末の機能構成を示す図である。交通システム１は、所定の地域内で車両を運用するものであり、交通ユーザであり、車両を運行する運行者及び車両を利用する利用者にそれぞれ操作されるユーザ端末２０（運行者端末、利用者端末）と、ネットワークを介して接続され、ユーザ端末（運行者端末、利用者端末）２０から送信されたメッセージを累積的に、ユーザ端末（運行者端末、利用者端末）２０に表示させるメッセージ画面を生成する交通システム支援装置１０と、交通システム支援装置１０とネットワークを介して接続され、所定のイベントを提案するイベント提案者に操作されるイベント提案者端末３０と、を備える。以下の説明において、運行者となったユーザに操作されるユーザ端末２０を運行者端末とも言い、利用者となったユーザに操作されるユーザ端末２０を利用者端末とも言う。
【００３０】
（交通システム支援装置１０の構成）
交通システム支援装置１０は、予定情報受信手段１０１と、利用希望情報受信手段１０２と、イベント情報受信手段１０３と、経路算出手段１０４と、メッセージ画面生成手段１０５と、メッセージ画面情報送信手段１０６と、ポイント算出手段１０７と、ユーザデータベース（以下、ユーザＤＢ）１２０と、を備える。
【００３１】
予定情報受信手段１０１は、運行者端末から、車両を運行する予定である予定情報を、メッセージとして受信する。詳細には、予定情報受信手段１０１は、ユーザである運行者のユーザ端末２０から、運行者を識別するユーザ識別情報の一例であるユーザＩＤに対応付けられた予定情報を、メッセージとして受信する。ここで、本実施形態において、「予定情報」には、車両を運行する時間（具体的な日時に限らず、時間的な目安を示す表現（例えば、「今から」や「明日の昼一」等も含まれる。）、目的地、経由地、利用者を乗せることの同意等を示す情報が含まれる。また、「予定情報」は、文字情報に限らず、絵柄や図形等であってもよい。また、予定情報受信手段１０１は、ユーザである運行者のユーザ端末２０から、運行者を識別するユーザ識別情報の一例であるユーザＩＤに対応付けられ、当該ユーザ端末２０の現在位置を示す情報を、車両運行中に所定間隔で受信する。
【００３２】
また、予定情報受信手段１０１は、運行者端末から、イベントに関連した予定情報を、メッセージとして受信する。ここで、本実施形態において、「イベントに関連した予定情報」には、所定のイベントに参加する旨の意思表示、イベント名、イベントの開催地、イベントへの参加時間等を示す情報が含まれる。
【００３３】
利用希望情報受信手段１０２は、利用者端末から、予定情報に基づき運行される車両の利用を希望する利用希望情報を、メッセージとして受信する。詳細には、利用希望情報受信手段１０２は、ユーザである利用者のユーザ端末２０から、利用者を識別するユーザ識別情報の一例であるユーザＩＤに対応付けられた利用希望情報を、メッセージとして受信する。ここで、本実施形態において、「利用希望情報」には、時間的な目安を示す表現（例えば、「今から」や「明日の昼一」等も含まれる。）、目的地、経由地、運行者を特定するユーザ識別情報（ユーザ名、ユーザＩＤ等）、車両を利用することの同意や拒否に対する感情やお礼や挨拶等の表現を示す情報が含まれる。また、「利用希望情報」は、文字情報に限らず、絵柄や図形等であってもよい。また、利用希望情報受信手段１０２は、ユーザである利用者のユーザ端末２０から、利用者を識別するユーザ識別情報の一例であるユーザＩＤに対応付けられ、当該ユーザ端末２０の現在位置を示す情報を、車両運行中に所定間隔で受信する。
【００３４】
なお、「利用希望情報」は、利用を希望する車両を運行する運行者のユーザＩＤに対応付けられていてもよいし（先に、メッセージとして予定情報を受信しており、これに対する返信のメッセージとして利用希望情報を受信する場合）、利用を希望する車両を運行する運行者のユーザＩＤに対応付けられていなくてもよい（先に、メッセージとして利用希望情報を受信しており、これに対する返信のメッセージとして予定情報を待つ場合）。
【００３５】
また、利用希望情報受信手段１０２は、利用者端末から、イベントに関連した利用希望情報を、メッセージとして受信する。ここで、本実施形態において、「イベントに関連した利用希望情報」には、所定のイベントに参加する旨又はしたい旨の意思表示、イベント名、イベントの開催地、イベントへの参加希望時間等を示す情報が含まれる。
【００３６】
イベント情報受信手段１０３は、所定のイベントを提案するイベント提案者に操作されるイベント提案者端末３０から、イベントに関する情報であるイベント情報を受信する。
ここで、本実施形態において、「所定のイベント」には、所定の地域やこの所定の地域の近隣で開催される、各種のイベントであり、具体的には、祭り、花火大会、朝市、所定の店舗におけるバーゲン、花見等のユーザの外出を促すことや、ユーザを集めることが可能な各種のイベントが含まれる。また、「イベント提案者」は、イベントの開催者や関係者に限らず、単なる情報提供者も含まれる。また、「イベント情報」には、イベントの開催地、開催する時間等のイベントにユーザが行くために必要な情報が含まれる。
【００３７】
経路算出手段１０４は、予定情報受信手段１０１が受信した予定情報と、利用希望情報受信手段１０２が受信した利用希望情報に基づき、車両の経路を算出する。具体的には、経路算出手段１０４は、ユーザＤＢ１２０を参照して、予定情報に対応付けられたユーザＩＤで示されるユーザの住所を出発地点とし、予定情報に含まれる目的地を到達地点とし、利用希望情報に対応付けられたユーザＩＤで示されるユーザの住所を経由地点として、経路を算出する。なお、経路算出手段１０４は、予定情報や利用希望情報に基づき、出発地点や経由地点を設定し、経路を算出してもよい。
【００３８】
図３は、ユーザＤＢに格納されるデータを表形式で模式的に示す図である。ユーザＤＢ１２０は、グループごとに、ユーザを識別する識別情報の一例であるユーザＩＤに、ユーザの名前、ユーザの住所、金銭的価値を示すポイントが対応付けられている。
【００３９】
なお、本実施形態において、「グループ」は、例えば、運行者となり得る者の住所（例えば、車両保有者の住所や、交通機関の発着地等）を中心に、所定の地域を予め設定した範囲で区分けしたものである。ユーザは、住所が含まれる範囲のグループに対応付けられている。
【００４０】
また、本実施形態において、「ポイント」は、例えば、ユーザが運用者となった場合に付与され、利用者となる場合に使うことが可能なものであり、電子マネーの残高を示す情報、クレジットカードによる支払い額を示す情報、現金の預かり金の残額を示す情報等、任意の金銭的価値を示す情報が含まれる。また、ポイントは、車両の利用にのみ使えるポイントであってもよいし、物（ガソリン等の燃料費等）に交換可能なポイントであってもよいし、保険料として使用することが可能なポイントであってもよい。
【００４１】
図２に戻って、メッセージ画面生成手段１０５は、予定情報受信手段１０１が受信した予定情報を含むメッセージ画面を、運行者端末及び利用者端末であるユーザ端末２０に表示させるためのメッセージ画面情報を生成する。
【００４２】
メッセージ画面生成手段１０５は、利用希望情報受信手段１０２が受信した利用希望情報を含むメッセージ画面を、運行者端末及び利用者端末であるユーザ端末２０に表示させるためのメッセージ画面情報を生成する。
【００４３】
メッセージ画面生成手段１０５は、経路算出手段１０４が算出した経路や、車両の出発地点、経由地点、到達地点、運行者端末及び利用者端末であるユーザ端末２０の現在位置を示す情報等を地図に配置したマップ情報を含むメッセージ画面を、運行者端末及び利用者端末であるユーザ端末２０に表示させるためのメッセージ画面情報を生成する。
【００４４】
メッセージ画面生成手段１０５は、車両ごとに、メッセージ画面を生成する。
【００４５】
メッセージ画面生成手段１０５は、イベント情報受信手段１０３が受信したイベント情報を含むメッセージ画面を、運行者端末及び利用者端末であるユーザ端末２０に表示させるためのメッセージ画面情報を生成する。
【００４６】
メッセージ画面情報送信手段１０６は、メッセージ画面生成手段１０５が生成したメッセージ画面情報を、ユーザ端末２０（運行者端末及び利用者端末）に送信する。
【００４７】
また、メッセージ画面情報送信手段１０６は、所定の条件が成立した場合に、運行者端末及び利用者端末に表示されたメッセージ画面を非表示とするメッセージ画面非表示情報を送信する。
【００４８】
図４から図８は、メッセージ画面生成手段が生成したメッセージ画面情報に基づき、ユーザ端末入出力手段に表示されるメッセージ画面の一例である。図４から図８を参照して、メッセージ画面生成手段１０５が生成するメッセージ画面情報に基づくメッセージ画面２３０について説明する。
【００４９】
本実施形態において、メッセージ画面２３０は、図４に示す基本画面２３１と、図５に示す目的別選択画面２３２と、図６に示す項目別車両選択画面２３３と、図７に示す車両別トーク画面２３４と、図８に示すマップ画面２３５と、が含まれる。メッセージ画面生成手段１０５は、ユーザ端末２０におけるこれらの画面に対するユーザの操作を示す操作情報に応じて、図４から図８に示すメッセージ画面を、ユーザ端末２０に表示するためのメッセージ画面情報を生成する。
【００５０】
ユーザ（運行者又は利用者）は、ユーザ端末２０により、交通システム１により提供されている交通システム支援サービスにログインすると、ユーザ端末２０に、図４に示す基本画面２３１が表示される。この基本画面２３１では、車両を運用又は利用する目的を選択するための複数の目的ボタン２３１ａが表示されている。ユーザは、この目的ボタン２３１ａを操作（例えば、タップ等）することでメッセージ画面を、図５に示す目的別選択画面２３２に遷移させることができる。
【００５１】
図５に示す目的別選択画面２３２では、ユーザにより選択された目的における複数の項目を選択するための複数の項目ボタン２３２ａが表示されている。図５に示す例では、複数の項目として、イベント情報受信手段１０３が受信したイベント情報に基づく項目が表示されている。ユーザは、この項目ボタン２３２ａを操作（例えば、タップ等）することでメッセージ画面を、図６に示す項目別車両選択画面２３３に遷移させることができる。
【００５２】
図６に示す項目別車両選択画面２３３では、各項目に対して、予定情報を、ユーザ端末２０から交通システム支援装置１０に送信している運行者のユーザＩＤが示された車両選択ボタン２３３ａが表示されている。ユーザ（利用者）は、この車両選択ボタン２３３ａを操作（例えば、タップ等）することでメッセージ画面を、図７に示す車両別トーク画面２３４に遷移させることができる。
【００５３】
図７に示す車両別トーク画面２３４では、ユーザ端末２０（運行者端末及び利用者端末）から送信されたメッセージが、メッセージの送信時間とともに、累積的に表示されている。また、この車両別トーク画面２３４では、文字情報に限らず、所定の意味（例えば、了解したことや、喜び等）を示す図柄もメッセージとして、表示されている。さらに、車両別トーク画面２３４では、特別な意味（図７に示す例では、これから出発する意味）を有する特別図柄２３４ａが表示されている。車両別トーク画面２３４において、この特別図柄２３４ａが表示されてから所定時間経過後、メッセージ画面２３０は、図８に示すマップ画面２３５に遷移する。この場合、メッセージ画面生成手段１０５は、予定情報受信手段１０１が、特別図柄２３４ａを示す情報を含む予定情報を受信した場合には、所定時間経過後に、マップ画面２３５をユーザ端末２０に表示するためのメッセージ画面情報を生成する。
【００５４】
図８に示すマップ画面２３５では、経路算出手段１０４が算出した経路（図８中の点線）や、車両の出発地点（例えば、運行者の住所：図８中の丸印）、経由地点（例えば、利用者の住所：図８中の三角印）、到達地点（例えば、イベントの開催地：図８中の四角印）、運行者端末及び利用者端末であるユーザ端末２０の現在位置を示す情報（図８中運行者端末の位置を示す黒星印や利用者端末の位置を示す白星印）等が地図に配置されている。また、マップ画面２３５には、車両が到達地点に到着したときに、ユーザに操作される到着ボタン２３５ａが表示されている。ユーザ（運転者又は利用者）は、この到着ボタン２３５ａを操作（例えば、タップ等）することで、交通システム支援装置１０に車両が目的地に到着したことを示す完了情報を、送信することができる。
【００５５】
メッセージ画面情報送信手段１０６は、所定の条件が成立したことの一例として、ユーザ端末２０から完了情報を受信した場合、ユーザ端末２０（運行者端末及び利用者端末）に表示されたメッセージ画面を非表示とするメッセージ画面非表示情報を送信する。ユーザ端末２０は、メッセージ画面非表示情報を受信した場合、メッセージ画面全体の表示を終了したり、図８に示すマップ画面２３５から図４に示す基本画面２３１に遷移させたりする。なお、「所定の条件」は、完了情報の受信に限らず、例えば、予定情報に示される日付が変わったことや、車両別トーク画面２３４に遷移してから所定時間経過したことや、特別図柄２３４ａを示す情報を含む予定情報を受信してから所定時間経過したことであってもよい。
【００５６】
図２に戻って、ポイント算出手段１０７は、ユーザ端末２０から完了情報を受信した場合に、ユーザＤＢ１２０（図３参照）に記憶された利用者であったユーザのポイントから所定数のポイントを減算し、ユーザＤＢ１２０に記憶された運行者であったユーザのポイントに所定数のポイントを加算する。なお、所定数のポイントは、任意の値であってよく、また、一定でもよいし、利用の内容に応じて変動してもよい。
【００５７】
（ユーザ端末２０の構成）
ユーザ端末２０は、各ユーザに適した機器で構成され（例えば、携帯端末、スマートフォン、タブレット端末、カーナビゲーションシステム、パーソナルコンピュータ、ゲーム機器、ネットワークに接続可能なテレビ、冷蔵庫等の情報家電等）ている。ユーザ端末２０は、上記のような機器そのものであってもよいし、上記の複数の機器と家庭内等のローカルネットワークを介して、情報交信可能な制御機器であってもよい。また、ユーザ端末２０は、店舗に設置され、ユーザが操作可能な端末であってもよい。
【００５８】
ユーザ端末２０は、ユーザ端末送受信手段２１と、ユーザ端末制御手段２２と、ユーザ端末入出力手段２３と、を備える。ユーザ端末送受信手段２１は、ユーザが運行者となる場合には、ユーザ端末制御手段２２の制御により、予定情報や完了情報を交通システム支援装置１０に送信し、メッセージ画面情報やメッセージ画面非表示情報を交通システム支援装置１０から受信する。またユーザが利用者となる場合には、ユーザ端末制御手段２２の制御により、利用希望情報や完了情報を送信し、メッセージ画面情報やメッセージ画面非表示情報を交通システム支援装置１０から受信する。
【００５９】
ユーザ端末制御手段２２は、メッセージ画面情報に基づき、メッセージ画面をユーザ端末入出力手段２３に表示させ、ユーザの操作を受け付け、上記各種情報を交通システム支援装置１０に送信する制御を行う。ユーザ端末入出力手段２３は、ユーザ端末制御手段２２の制御により、メッセージ画面情報に基づき、メッセージ画面を表示し、ユーザの操作を受け付ける。
【００６０】
（イベント提案者端末３０の構成）
イベント提案者端末３０は、所定のイベントを提案するイベント提案者のコンピュータシステムであって、例えば、当該所定の地域における店舗等（例えば、スーパマーケットやコンビニ等の小売店、公共交通機関、役所、病院、学校、幼稚園等）のコンピュータシステムのサーバ、レジスター、端末を含む。
【００６１】
イベント提案者端末３０は、イベント提案者端末送受信手段３１と、イベント提案者端末制御手段３２と、イベント提案者端末入出力手段３３と、を備える。イベント提案者端末送受信手段３１は、イベント提案者端末制御手段３２の制御により、交通システム支援装置１０に、イベントに関する情報であるイベント情報を送信する。
【００６２】
イベント提案者端末制御手段３２は、提案者の操作を受け付け、イベント情報を交通システム支援装置１０に送信するための画面をイベント提案者端末入出力手段３３に表示する制御を行う。イベント提案者端末入出力手段３３は、イベント提案者端末制御手段３２の制御により、提案者の操作を受け付けるとともに、イベント情報を交通システム支援装置１０に送受信するための画面を表示する。
【００６３】
上記の本システムの機能構成は、あくまで一例であり、一つの機能ブロック（データベース及び機能処理部）を分割したり、複数の機能ブロックをまとめて一つの機能ブロックとして構成したりしてもよい。各機能処理部は、装置に内蔵されたＣＰＵ（Central  Processing  Unit）が、ＲＯＭ（Read  Only  Memory）、フラッシュメモリ、ＳＳＤ(Solid  State  Drive)、ハードディスク等の記憶装置に格納されたコンピュータ・プログラム（例えば、基幹ソフトや上述のキャラクタ生成アプリ等）を読み出し、ＣＰＵにより実行されたコンピュータ・プログラムによって実現される。すなわち、各機能処理部は、このコンピュータ・プログラムが、記憶装置に格納されたデータベース（ＤＢ;Data  Base)やメモリ上の記憶領域からテーブル等の必要なデータを読み書きし、場合によっては、関連するハードウェア（例えば、入出力装置、表示装置、通信インターフェース装置）を制御することによって実現される。また、本発明の実施形態におけるデータベース（ＤＢ）は、商用データベースであってよいが、単なるテーブルやファイルの集合体をも意味し、データベースの内部構造自体は問わないものとする。
【００６４】
（処理フロー）
以降の処理フロー図（フローチャート）においては、各ステップの入力と出力の関係を損なわない限り、各ステップの処理順序を入れ替えてもよい。図９は、本発明の実施形態に係る交通システム支援装置が実行する交通システム支援処理フローを示す図である。
【００６５】
ステップＳ１において、イベント情報受信手段１０３は、所定のイベントを提案するイベント提案者に操作されるイベント提案者端末３０から、イベントに関する情報であるイベント情報を受信する。
【００６６】
ステップＳ２において、メッセージ画面生成手段１０５は、ステップＳ１でイベント情報受信手段１０３が受信したイベント情報を含むメッセージ画面を、運行者端末及び利用者端末であるユーザ端末２０に表示させるためのメッセージ画面情報を生成する。メッセージ画面情報送信手段１０６は、メッセージ画面生成手段１０５が生成したメッセージ画面情報を、ユーザ端末２０（運行者端末及び利用者端末）に送信する。
【００６７】
ステップＳ３において、予定情報受信手段１０１は、ユーザ端末２０（運行者端末）から、イベントに関連した予定情報を、メッセージとして受信する。
【００６８】
ステップＳ４において、メッセージ画面生成手段１０５は、ステップＳ３で予定情報受信手段１０１が受信した予定情報を含むメッセージ画面を、運行者端末及び利用者端末であるユーザ端末２０に表示させるためのメッセージ画面情報を生成する。メッセージ画面情報送信手段１０６は、メッセージ画面生成手段１０５が生成したメッセージ画面情報を、ユーザ端末２０（運行者端末及び利用者端末）に送信する。
【００６９】
ステップＳ５において、利用希望情報受信手段１０２は、ユーザ端末２０（利用者端末）から、予定情報に基づき運行される車両の利用を希望する利用希望情報を、メッセージとして受信する。
【００７０】
ステップＳ６において、メッセージ画面生成手段１０５は、ステップＳ５で利用希望情報受信手段１０２が受信した利用希望情報を含むメッセージ画面を、運行者端末及び利用者端末であるユーザ端末２０に表示させるためのメッセージ画面情報を生成する。メッセージ画面情報送信手段１０６は、メッセージ画面生成手段１０５が生成したメッセージ画面情報を、ユーザ端末２０（運行者端末及び利用者端末）に送信する。
【００７１】
ステップＳ７において、経路算出手段１０４は、ステップＳ３で予定情報受信手段１０１が受信した予定情報と、ステップＳ５で利用希望情報受信手段１０２が受信した利用希望情報に基づき、車両の経路を算出する。
【００７２】
ステップＳ８において、メッセージ画面生成手段１０５は、ステップＳ７で経路算出手段１０４が算出した経路等を地図に配置したマップ情報を含むメッセージ画面を、運行者端末及び利用者端末であるユーザ端末２０に表示させるためのメッセージ画面情報を生成する。
【００７３】
ステップＳ９において、メッセージ画面情報送信手段１０６は、所定の条件が成立したか否かを判定し、所定の条件が成立したと判定した場合にはステップＳ１０に処理を移し、所定の条件が成立していないと判定した場合にはステップＳ３に処理を戻す。
【００７４】
ステップＳ１０において、メッセージ画面情報送信手段１０６は、ユーザ端末２０（運行者端末及び利用者端末）に表示されたメッセージ画面を非表示とするメッセージ画面非表示情報を送信する。
【００７５】
（第２実施形態の機能構成）
以下、交通システム１の第２実施形態について説明する。図１０は、交通システム１ムの第２実施形態の機能構成を示す図である。第２実施形態では、図２の第１実施形態における交通システム支援装置１０を、交通システム管理装置１１と、ソーシャル・ネットワーキング・システム（ＳＮＳ）を管理するＳＮＳ管理装置１２とに分割した構成をとっている。以下では、図２と異なる部分を主に説明する。なお、図２におけるイベント提案者端末３０、イベント情報受信手段１０３、ポイント算出手段１０７などは図示を省略しているが、同等の機能が第２実施形態でもサポートされる。
【００７６】
交通システム管理装置１１は、所定の地域内で車両を運用する交通システム１を管理する装置であって、ＳＮＳ管理装置と連携可能にするＳＮＳ連携手段１１１と、車両情報送信手段１１３と、利用希望情報受信手段１１４と、経路算出手段１１５とを備えている。
【００７７】
ＳＮＳ連携手段１１１は、ＳＮＳ管理装置１２の交通システム連携手段１２１と協業し、両者のシステムを互いに接続させる。また、どちらかのユーザＩＤとパスワードで、他方のシステムにログインできるようにすることが望ましい。ここで「ユーザ」とは、第１実施形態と同様、交通システム１の会員であって車両の運行者及び車両の利用者を指す。また、ＳＮＳ連携手段１１１は、交通システム連携手段１２１と協業して、交通システムのユーザ情報（交通システムユーザＤＢ１１２に格納されたユーザ情報）と、ＳＮＳのユーザ情報（ＳＮＳユーザＤＢ１２２に格納されたユーザ情報）を交換し、連携させる。例えば、交通システム内のユーザが地域ごとにグループに分かれている場合は、ＳＮＳ上でもそのグループ内でトークが可能なようにＳＮＳ管理装置１２に制御させる。
【００７８】
車両情報送信手段１１３は、交通システム１の車両の運行の予定情報を含む車両情報をＳＮＳ管理装置１２に送信する。ここで車両情報には、車種や乗車定員の他、駆動源や燃費情報などを含んでもよい。
【００７９】
利用希望情報受信手段１１４は、予定情報に基づき運行される車両の利用を希望するユーザの利用希望情報をＳＮＳ管理装置１２から受信する。したがって、車両の予定情報が決まった後は、ＳＮＳ管理装置１２によって、車両を利用したいユーザと車両の運行者とのやりとりがトーク画面上で行われる。もちろん、利用を希望するユーザは、複数であってもよく、予定情報に示された移動経路上又は移動経路の付近であれば、途中乗車、途中下車は自由である。
【００８０】
経路算出手段１１５は、利用者希望情報に基づき車両の移動経路を算出し、図２の経路算出手段１０４と同様の機能を有する。
【００８１】
また、交通システム管理装置１１は、上記予定情報に示される車両の運行予定が終了したとき（予定の中止、キャンセルを含む）、当該予定情報に関するトーク情報を削除するようにＳＮＳ管理装置１２に指示するトーク削除指示手段１１６も備える。このことにより、ＳＮＳのトーク画面に、処理が終わった不要な情報が蓄積するのを抑制する。トーク削除指示手段１１６から削除指示を受け付けたＳＮＳ管理装置１２は、削除したトーク情報のバックアップを残してもよい。したがって、誤ってトーク情報を削除しても復旧が可能である。
【００８２】
ＳＮＳ管理装置１２は、ＳＮＳを運営する事業者によって構築され、ＳＮＳのシステムを管理するＳＮＳ管理装置であって、交通システム管理装置１１とネットワークを介して接続される。ＳＮＳ管理装置１２は、交通システム１の車両の予定情報を含む車両情報を、交通システム管理装置１１から受信する車両情報受信手段１２３と、その車両情報を用いてＳＮＳのユーザ間でトークを行うためのメッセージ画面を生成するメッセージ画面生成手段１２４と、ＳＮＳのユーザから利用希望情報を取得する利用希望情報取得手段１２５と、利用希望情報を交通システム管理装置１１に送信する利用情報送信手段１２６と、を備えている。車両情報受信手段１２３、メッセージ画面生成手段１２４、利用希望情報取得手段１２５の機能は、図２の予定情報受信手段１０１、メッセージ画面生成手段１０５、利用希望情報受信手段１０２にそれぞれ対応する。
【００８３】
利用希望情報取得手段１２５は、トーク内容解析手段１２５ａを含み。ＳＮＳのユーザのユーザ端末２０からメッセージ画面におけるトーク情報を受信し、トーク情報の内容を解析し、交通システム１の車両の利用を前記参加可能者が希望しているか否かを判断する。このことによって、交通システム管理装置１１に問い合わせることなく。ＳＮＳ管理装置１２が、車両の乗車定員を超える利用者の利用を拒否する。また、利用希望情報取得手段１２５は、トーク画面でのトーク情報の内容ではなく、ユーザがトーク画面への「参加希望」のボタンを押下するタイミングで利用希望情報を取得してもよい。
【００８４】
また、利用希望情報取得手段１２５は、上記の利用希望情報に含まれる希望乗車人数と、上記の車両情報に含まれる乗車定員に基づいて、当該車両に乗車することが不可と判断したときに、利用希望情報の新たな受付を拒否する。このことによって、交通システム管理装置１１に問い合わせることなく。ＳＮＳ管理装置１２だけで、車両の乗車定員を超える利用者の利用を拒否することができる。交通システム１の利用者は、途中下車や途中乗車が可能であるため、運行中の車両の乗客の数を常に正確に管理する必要があるため、ユーザ間のトーク情報を直ちに取得できるＳＮＳ管理装置１２にこの機能を持たせることは重要である。
【００８５】
（実施形態の効果）
第１の実施形態によれば、交通システム支援装置１０は、予定情報受信手段１０１と、利用希望情報受信手段１０２と、経路算出手段１０４と、メッセージ画面生成手段１０５と、メッセージ画面情報送信手段１０６と、を備える。予定情報受信手段１０１は、運行者端末から、車両を運行する予定である予定情報を、前記メッセージとして受信する。利用希望情報受信手段１０２は、利用者端末から、予定情報に基づき運行される車両の利用を希望する利用希望情報を、メッセージとして受信する。経路算出手段１０４は、予定情報受信手段１０１が受信した予定情報と、利用希望情報受信手段１０２が受信した利用希望情報に基づき、車両の経路を算出する。メッセージ画面生成手段１０５は、予定情報受信手段１０１が受信した予定情報を含むメッセージ画面を、運行者端末及び利用者端末に表示させるためのメッセージ画面情報を生成する。メッセージ画面生成手段１０５は、利用希望情報受信手段１０２が受信した利用希望情報を含むメッセージ画面を、運行者端末及び利用者端末に表示させるためのメッセージ画面情報を生成する。メッセージ画面生成手段１０５は、経路算出手段１０４が算出した経路を含むメッセージ画面を、運行者端末及び利用者端末に表示させるためのメッセージ画面情報を生成する。メッセージ画面情報送信手段１０６は、メッセージ画面生成手段１０５が生成したメッセージ画面情報を、運行者端末及び利用者端末に送信する。
【００８６】
これにより、所定の地域内で運用される交通システム１のユーザにより、ソーシャル・ネットワークを構築できる。また、ソーシャル・ネットワークに参加する者が、所定の地域内のユーザに限られるため、不特定多数の者が参加可能である場合に比べ、この交通システムのユーザとなり、車両を利用することへの不安を低減できる。また、このようなソーシャル・ネットワークに参加し、メッセージを送信するだけで、交通システムにおける車両を利用することができるので、車両を利用するための複雑な手続をすることがないので、ユーザの負担が軽減され、交通システムへの参加を促すことが可能となる。したがって、交通システムにおける車両を利用することへの不安を低減し、交通システムへの参加を促すことが可能な交通システム支援装置を提供できる。
【００８７】
メッセージ画面生成手段１０５は、車両ごとに、メッセージ画面を生成する。これにより、例えば、利用者は、顔見知りの運行者の車両を選択した場合、この顔見知りの運行者とだけメッセージをやり取りすればいいので、不特定多数の者とメッセージをやり取りする場合に比べ、この交通システムのユーザとなり、車両を利用することへの不安を低減できる。
【００８８】
また、交通システム支援装置１０において、メッセージ画面情報送信手段１０６は、所定の条件が成立した場合に、運行者端末及び利用者端末に表示されたメッセージ画面を非表示とするメッセージ画面非表示情報を送信する。
【００８９】
これにより、所定の条件が成立した場合（例えば、車両が目的地に到着した場合）に、運行者端末及び利用者端末に表示されたメッセージ画面を非表示とできるので、過去に使用したメッセージ画面がいつまでも残り煩雑になるのを防止できる。
【００９０】
また、交通システム支援装置１０は、所定のイベントを提案するイベント提案者に操作されるイベント提案者端末３０と、ネットワークを介して接続され、イベント情報受信手段１０３を備える。イベント情報受信手段１０３は、イベント提案者端末３０から、イベントに関する情報であるイベント情報を受信する。メッセージ画面生成手段１０５は、イベント情報受信手段１０３が受信したイベント情報を含むメッセージ画面を、運行者端末及び利用者端末に表示させるためのメッセージ画面情報を生成する。予定情報受信手段１０１は、イベントに関連した予定情報を、メッセージとして受信する。利用希望情報受信手段１０２は、イベントに関連した利用希望情報を、メッセージとして受信する。
【００９１】
これにより、メッセージ画面において、イベントを提案できるので、簡単な手続でイベントに参加するための移動手段を確保でき、所定の地域内における人の移動を活性化できる。
【００９２】
また、第２実施形態によれば、交通システム管理装置１１が既存のＳＮＳ管理装置１２と連携することで、新たなシステム開発の負担を少なくし、交通システム１のユーザとＳＮＳの地域のユーザとを統合することができる。また、ユーザは、慣れ親しんだＳＮＳのトーク機能をそのまま使って、交通システム１を手軽に利用することができる。
【００９３】
以上、実施形態を用いて本発明を説明したが、本発明の技術的範囲は上記実施形態に記載の範囲には限定されないことは言うまでもない。上記実施形態に、多様な変更又は改良を加えることが可能であることが当業者に明らかである。また、そのような変更又は改良を加えた形態も本発明の技術的範囲に含まれ得ることが、特許請求の範囲の記載から明らかである。なお、上記の実施形態では、本発明を物の発明として、交通システム支援装置、交通システム管理装置、ＳＮＳ管理装置について説明したが、本発明は、交通システム支援方法又はプログラムの発明として捉えることもできる。
【符号の説明】
【００９４】
１  交通システム
１０  交通システム支援装置
１１  交通システム管理装置１１
１２  ＳＮＳ管理装置１２
２０  ユーザ端末
２１  ユーザ端末送受信手段
２２  ユーザ端末制御手段
２３  ユーザ端末入出力手段
３０  イベント提案者端末
３１  イベント提案者端末送受信手段
３２  イベント提案者端末制御手段
３３  イベント提案者端末入出力手段
１０１  予定情報受信手段
１０２  利用希望情報受信手段
１０３  イベント情報受信手段
１０４  経路算出手段
１０５  メッセージ画面生成手段
１０６  メッセージ画面情報送信手段
１０７  ポイント算出手段
１１１  ＳＮＳ連携手段
１１２  交通システムユーザＤＢ
１１３  車両情報送信手段
１１４  利用希望情報受信手段
１１５  経路算出手段
１１６  トーク削除指示手段
１２０  ユーザＤＢ
１２１  交通システム連携手段
１２２  ＳＮＳユーザＤＢ
１２３  車両情報受信手段
１２４  メッセージ画面生成手段
１２５  利用希望情報取得手段
１２５ａ  トーク内容解析手段
１２６  利用希望情報送信手段
【図１】
2018055640.tif 000003
【図２】
2018055640.tif 000004
【図３】
2018055640.tif 000005
【図４】
2018055640.tif 000006
【図５】
2018055640.tif 000007
【図６】
2018055640.tif 000008
【図７】
2018055640.tif 000009
【図８】
2018055640.tif 000010
【図９】
2018055640.tif 000011
【図１０】
2018055640.tif 000012